(57)【要約】【課題】確実に識別情報を読み込むことができる動作玩具を提供すること。【解決手段】動作手段と、所定のオブジェクトに付された識別情報を読み取る識別情報読取り手段と、読み取られた識別情報に応じて動作手段を動作させる動作制御手段とを備えた動作玩具において、オブジェクトを所定の位置に保持するオブジェクト保持部と、オブジェクト保持部が設けられ第１の位置から第２の位置との間で移動可能に構成され、移動途中に、オブジェクトの識別情報を識別情報読取り手段の読取り部の上を通過させることが可能な移動体と、移動体を第１の位置に係止する係止部と、移動体に連動するように構成され、移動体の係止を解除するとともに第２の位置から第１の位置まで移動体を移動させるための操作部と、移動体を係止の解除後に付勢力によって第２の位置に移動させる付勢手段と、を備えている。【選択図】図３
2018019994.tif 000002
【特許請求の範囲】
【請求項１】
所定の動作を行う動作手段と、所定のオブジェクトに付された識別情報を読み取る識別情報読取り手段と、前記情報読取り装置によって読み取られた識別情報に応じて前記動作手段を動作させる動作制御手段とを備えた動作玩具において、
前記オブジェクトを所定の位置に保持するオブジェクト保持部と、
前記オブジェクト保持部が設けられ第１の位置から第２の位置との間で移動可能に構成され、移動途中に、前記オブジェクト保持部に保持された前記オブジェクトの識別情報を前記識別情報読取り手段の読取り部の上を通過させることが可能な移動体と、
前記移動体を第１の位置に係止する係止部と、
前記移動体に連動するように構成され、前記移動体の係止を解除するとともに前記第２の位置から前記第１の位置まで前記移動体を移動させるための操作部と、
前記移動体を係止の解除後に付勢力によって前記第２の位置に移動させる付勢手段と、
を備えたことを特徴とする動作玩具。
【請求項２】
本体と、前記本体に開閉可能に取り付けられた蓋とを備え、前記本体には、前記オブジェクト保持部と、前記移動体と、前記係止部と、前記付勢手段とが設けられ、前記蓋は、前記操作部を構成し、前記移動体が前記第１の位置にあるときに開放状態となり、前記移動体が前記第２の位置にあるときに前記オブジェクトを被覆するような閉塞状態となることを特徴とする請求項１に記載の動作玩具。
【請求項３】
前記移動体に一端が回動可能に連結され前記蓋に他端が回動可能に連結された連結棒を備え、前記連結棒を介して前記蓋と前記移動体とを連動させるように構成されていることを特徴とする請求項２に記載の動作玩具。
【発明の詳細な説明】
【技術分野】
【０００１】
本発明は、動作玩具に関し、さらに詳しくは識別情報を読み取る情報読取り装置を備えた動作玩具に係わる。
【背景技術】
【０００２】
従来、バーコードリーダを備えた玩具として、特許文献１に記載の玩具が知られている。
【０００３】
この玩具のバーコードリーダにおいては、リーダ本体と、バーコードセンサにバーコードから反射して来た光を導入する開口部を備え、且つリーダ本体に対して前方位置と後方位置との間を相対的に変位し得るようにリーダ本体に変位可能に保持された可動部材と、バーコードセンサを開口部に対応する移動範囲内において電動力を用いることなく移動させるバーコードセンサ移動機構とを具備している。また、可動部材は、物品に押し付けられる過程でリーダ本体に対して前方位置から後方位置に相対的に変位し、物品への押し付けが解除されたときにリーダ本体に対して後方位置から前方位置に相対的に変位し得るようにリーダ本体に保持されており、バーコードセンサ移動機構は、可動部材が物品に押し付けられる過程で蓄勢される蓄勢手段を備え、蓄勢手段の放勢力を利用してバーコードセンサを開口部の一端から他端に移動させるように構成されている。
【先行技術文献】
【特許文献】
【０００４】
【特許文献１】特開２００５−２５６号公報
【発明の概要】
【発明が解決しようとする課題】
【０００５】
しかしながら、上記特許文献１に記載の玩具では、可動部材の物品への押し付けはユーザー自身が行わなければならず、押し付けが弱いとバーコードを上手く読み込めないという問題がある。可動部材の変位はバーコードの読取りのためだけのものであり、その動き自体を楽しめるものではなかった。
本発明の主たる目的は、確実に識別情報を読み込むことができる動作玩具を提供することにある。
【課題を解決するための手段】
【０００６】
第１の手段は、
所定の動作を行う動作手段と、所定のオブジェクトに付された識別情報を読み取る識別情報読取り手段と、前記情報読取り装置によって読み取られた識別情報に応じて前記動作手段を動作させる動作制御手段とを備えた動作玩具において、
前記オブジェクトを所定の位置に保持するオブジェクト保持部と、
前記オブジェクト保持部が設けられ第１の位置から第２の位置との間で移動可能に構成され、移動途中に、前記オブジェクト保持部に保持された前記オブジェクトの識別情報を前記識別情報読取り手段の読取り部の上を通過させることが可能な移動体と、
前記移動体を第１の位置に係止する係止部と、
前記移動体に連動するように構成され、前記移動体の係止を解除するとともに前記第２の位置から前記第１の位置まで前記移動体を移動させるための操作部と、
前記移動体を係止の解除後に付勢力によって前記第２の位置に移動させる付勢手段と、
を備えたことを特徴とする。
【０００７】
第２の手段は、第１の手段において、本体と、前記本体に開閉可能に取り付けられた蓋とを備え、前記本体には、前記オブジェクト保持部と、前記移動体と、前記係止部と、前記付勢手段とが設けられ、前記蓋は、前記操作部を構成し、前記移動体が前記第１の位置にあるときに開放状態となり、前記移動体が前記第２の位置にあるときに前記オブジェクトを被覆するような閉塞状態となることを特徴とする。
【０００８】
第３の手段は、第２の手段において、前記移動体に一端が回動可能に連結され前記蓋に他端が回動可能に連結された連結棒を備え、前記連結棒を介して前記蓋と前記移動体とを連動させるように構成されていることを特徴とする。
【発明の効果】
【０００９】
第１の手段によれば、オブジェクト保持部にオブジェクトを保持させた後に操作部を操作して移動体に初動さえ与えれば、移動体が付勢手段による付勢力によって第２の位置まで移動するので、識別情報を確実に読み込むことができる。また、読取りの際に移動体の移動によってオブジェクトも移動するので、その分、オブジェクトの移動自体を視覚的に楽しむことができる。
【００１０】
第２の手段によれば、蓋が開いている状態で露出していたオブジェクトが蓋が閉まることによって動作玩具に捕捉されたかのイメージを醸し出すことができる。
【００１１】
第３の手段によれば、移動体に一端が回動可能に連結され蓋に他端が回動可能に連結された連結棒によって、蓋と移動体とを円滑に連動させることができる。
【図面の簡単な説明】
【００１２】
【図１】本発明に係る動作玩具の一実施の形態を示した斜視図である。
【図２】本実施形態に係るフィギアの台座の裏面を示した図である。
【図３】本実施形態の動作玩具の蓋を開けた状態を示した斜視図である。
【図４】本実施形態の動作玩具の移動体、裏板及びバーコード読取り装置を示した斜視図である。
【図５】本実施形態に係る爪部材を示した斜視図である。
【図６】本実施形態の動作玩具の移動体、裏板、バーコード読取り装置、スイッチ、当接部材及び付勢手段を下方から見た状態を示した説明図である。
【図７】本実施形態の動作玩具の下面図である。
【図８】本実施形態の動作玩具の上板を取り外した状態を示した斜視図である。
【図９】本実施形態の動作玩具の制御構成を示したブロック図である。
【図１０】本実施形態のデータ構成例であるデータテーブルを示した図である。
【発明を実施するための形態】
【００１３】
以下、本発明に係る動作玩具を図面に示した実施形態に基づいて説明する。
【００１４】
（動作玩具１の全体構成及び動作）
図１は動作玩具の外観を示した図、図３は動作玩具の蓋を空けた状態を示した外観図である。
図１に示した動作玩具１は、全体として球状に構成されている。この動作玩具１の底面は平らに形成され、安定して自立できるように構成されている。
この動作玩具１によれば、本体１ａに対して蓋１ｂを開けた状態（図３参照）で、本体１ａにフィギア２をセットした後、蓋１ｂを閉める方向に初動させると、その後は、蓋１ｂが自ら比較的ゆっくりと閉じる方向に動作し、蓋１ｂが閉まる途中或いは閉まった後に、フィギア２に応じた鳴き声が発せられるとともに、所定の態様の光が発せられる。
【００１５】
（細部）
１．フィギア２
フィギア２は台座２ａの上に固定して設けられている。このフィギア２としては種類の異なるものが複数用意されている。図２に示すように、台座２ａの裏側にはフィギア２の種類を特定するためのバーコード（識別情報の一例）２ｂが付されている。
【００１６】
２．動作玩具１の外観
図３に示すように、動作玩具１の下半部は底面が平らで半球状を成している。この下半部は動作玩具１の本体１ａを構成している。一方、動作玩具１の上半部は半球状を成し蓋１ｂを構成している。ここで、本体１ａに対して蓋１ｂは軸１ｃを中心に開閉動作可能に取り付けられている
【００１７】
３．蓋１ｂについて
図３に示すように、蓋１ｂの内側は空洞となっている。この蓋１ｂの内側で軸１ｃ寄りの部分には左右に軸支持体１０がそれぞれ取り付けられている。各軸支持体１０には軸１１の内端部が支持されている。また、各軸１１の外端部は蓋１ｂの外郭に支持されている。左右の各々の軸支持体１０及び軸１１の組は一体的に形成され、各組は全体としてＬ字状に形成されている。
【００１８】
４．本体１ａについて
図３に示すように、本体１ａには、上板２１ａと、上板２１ａの下側に位置する中板２１ｂとが設けられている。上板２１ａには切欠き２２が形成されている。この切欠き２２が形成された部分には移動体２３が前後方向に移動可能に設置されている。すなわち、図４に示すように、移動体２３の左右には前後方向に延在する溝２３ａがそれぞれ形成されている。そして、この移動体２３の左側の溝２３ａは切欠き２２の左側の縁に係合し、移動体２３の右側の溝２３ａは切欠き２２の右側の縁に係合している。これによって、移動体２３は切欠き２２の左右の縁に沿って前後に移動可能となっている。移動体２３には矩形の孔２３ｂが形成されている。
また、図４に示すように、移動体２３の左右には軸２３ｃがそれぞれ突出して設けられている。各軸２３ｃには連結棒４０の一端部が回動可能に取り付けられている（図３参照）。連結棒４０の他端部は上記軸１１に回動可能に取り付けられている。これにより、蓋１ｂの開閉動作と移動体２３の前後の移動動作とが連動して行われる。
【００１９】
図４に示すように、移動体２３には矩形の孔２３ｂが形成されている。また、移動体２３の下側には裏板２５がねじ止めされている。孔２３ｂによって区画される領域がフィギア２の保持部を構成し、この保持部に置かれたフィギア２の台座２ａは裏板２５に支持される。ここで、裏板２５は移動体２３の孔２３ｂを一部残して閉塞する大きさとなっている。具体的には、上面視で孔２３ｂの右縁と裏板２５の右辺との間には隙間２５ａが形成されている。この隙間２５ａはフィギア２の台座２ａのバーコード２ｂに対応する部分である。そして、移動体２３の移動に伴ってフィギア２のバーコード２ｂが移動する領域の下側には、当該バーコード２ｂを読み取るためのバーコード読取り装置（識別情報読取り装置の一例）３０が設置されている。
【００２０】
また、移動体２３の矩形の孔２３ｂの前後にはフィギア２の台座２ａを保持するための爪部材３１がそれぞれ設けられている。図５に示すように、各爪部材３１は軸３１ａを中心に回動可能に構成され、断面コ字状部分３１ｂでフィギア２の台座２ａを係止する。この爪部材３１はフィギア２の台座２ａをはめ込む際に弾性変形して台座２ａを係止し、フィギア２の台座２ａを取り外す際には弾性変形と軸３１ａを中心とする回動とによって係止を解除する。なお、フィギア２の保持は嵌合や磁気力によって行ってもよいし、場合によってはフィギア２自体の重力によって行ってもよい。
【００２１】
図６に示すように、裏板２５の下面には凸部２６が形成されている。この凸部２６は下面視で、略二等辺三角形で、２つの底角部分を斜に切り欠いた形状をしている。ここで、凸部２５は底辺が前方に頂角が後方に位置するように形成されている。二等辺三角形の２つの等辺に対応する部分は摺接面２６ａをそれぞれ形成している。また、底角部分を切り欠いた斜辺部分は係止面２６ｂをそれぞれ形成している。
【００２２】
図６に示すように、裏板２５の移動経路の下側には一対の当接部材２７，２７が設置されている。この一対の当接部材２７，２７は基端側がそれぞれ軸２８によって本体１ａに回動可能に支持されている。各当接部材２７は中板２１ｂの下側に設けられ、下面視で直棒状で先端が内方に屈曲されている。先端の内方に屈曲された部分には円柱状の当接部２７ａが起立して形成されている。各当接部２７ａは中板２１ｂに形成された孤状の孔２１ｃに挿入され、中板２１ｂの上に突出している（図３参照）。そして、この一対の当接部材２７，２７は、当該当接部材２７，２７間に掛けられたコイルスプリング２９によって本体１ａの内方に向けて付勢されている。これによって、一対の当接部材２７，２７の当接部２７ａ，２７ａは、常時、凸部２６に左右から当接している。具体的には、一対の当接部材２７，２７の当接部２７ａ，２７ａは、蓋１ｂを開いた状態では、コイルスプリング２９の付勢力によって凸部２６の係止面２６ｂ，２６ｂに左右から当接して蓋１ｂの開放状態を保持し、蓋１ｂを閉め始めると、コイルスプリング２９の付勢力の分力によって凸部２６の摺接面２６ａ，２６ａに左右から当接して裏板２５ひいては移動体２３を前方に引き寄せる。
なお、コイルスプリング２９に代えてゴムを設けたり、各当接部材２７にトーションスプリングを設けることもできる。
【００２３】
また、図６に示すように、移動体２３の左横にはスイッチ３５が設けられている。そして、このスイッチ３５は蓋１ｂを閉め始める際に移動体２３の左横の凸部２３ｄの突き当たりによってＯＮされる。これによりバーコード読取り装置３０が作動する。
【００２４】
図７に示すように、本体１ａの下側の椀形部分１ｄはビスにより着脱可能に構成されている。そして、この椀形部分１ｄを取り外すことにより、内部の電池収納室３６に対して電池（図示せず）の着脱ができるようにされている。
【００２５】
図８は動作玩具１の上板２１ａを取り外した状態を示した斜視図である。同図に示すように、本体１ａの中板２１ｂの前端部には発光体５１が設けられている。この発光体５１は鼓形の光学部品６１内に挿入され、発光の際には発光体５１の光は光学部品６１を介して外部に出射される。
【００２６】
５．制御構成について
図９は、この動作玩具１の制御構成を示している。この動作玩具１は、制御構成として、例えば、上記発光体５１と、音出力部５２と、記録部５３と、制御部５４と、スイッチ３５と、バーコード読取り装置３０とを備える。
【００２７】
発光体５１は、特に限定はされないが、フルカラーＬＥＤを構成し、発光体には「赤」、「青」、「緑」の３色のＬＥＤが使用されている。
また、音出力部５２は増幅器やスピーカを含んで構成され、音声や楽曲等の所定の音を外部に向けて出力する。
【００２８】
また、記録部５３は、更新記録可能なフラッシュメモリ等のＲＯＭやＲＡＭといった各種ＩＣメモリ、ハードディスク、メモリカード等の情報記録媒体およびその読取装置等によって実現される。この記録部５３は、発光体５１の発光制御プログラム５３ａや音出力制御プログラム５３ｂを格納している他、これらのプログラムの実行に必要なデータ５３ｃを格納している。この記録部５３は、発光制御プログラム５３ａとして、例えば、発光体５１の発光色又は発行態様をフィギア２の種類に応じて変化させるプログラムを格納している。
さらに、この記録部５３は、例えば、音出力制御プログラム５３ｂとして、例えば、音出力部５２から出力される音声をフィギア２の種類に応じて変化させるプログラムを格納している。
図１０は、フィギア２のデータ構成例を示す図である。図１０に示すデータテーブルは、フィギア種別と、明滅パターンと、音データとが対応付けられたデータテーブルである。本実施の形態では、動作玩具１は、所定のタイミングにおいて発光体５１を表示させてフィギア２の種別に対応して明滅させたり、所定のタイミングにおいてフィギア２の種別に対応させて音出力部５２から音を出力させたりする。
【００２９】
制御部５４は、制御構成各部を統括制御するもので、上記発光制御プログラム５３ａと協働して発光制御部５４ａとして機能し、音出力制御プログラム５３ｂと協働して音出力制御部５４ｂとして機能する。
【００３０】
スイッチ３５は移動体２３が前方に動き始めた時にそれを検知し、その検知信号を制御部５４に出力する。制御部５４はこの検知信号を受け取るとバーコード読取り装置３０を所定時間作動させる。バーコード読取り装置３０は発光部と受光部とを有し、図４に示すスリット開口３０ａを介してバーコード２ｂを読み取る。制御部５４はバーコード２ｂの読取りが完了したら所定の明滅パターンで発光体５１を発光させるとともに、音出力部５２から音声や楽曲等の所定の音を出力させる。
【００３１】
（発明の変形例）
以上、本発明の実施形態について説明したが、本発明は、かかる実施形態に限定されず、その要旨を逸脱しない範囲で、種々の変形が可能である。
例えば、上記実施形態では、凸部２６の摺接面２６ａに当接部材２７を当接させることによって移動体３５を移動させるようにしたが、直接にスプリングによって移動体３５を移動させるようにしてもよい。
【００３２】
また、上記実施形態では、凸部２６の下面視の形状は略二等辺三角形としたが、略台形や菱形その他の形状であってもよい。或いは、移動体３５の移動方向に対して傾斜する単一の斜面であってもよい。要は、バーコード２ｂが読み取れる速度で移動体３５が移動できることである。
【００３３】
また、上記実施形態では、動作玩具１の動作は発光動作及び音出力動作としたが、バーコードの読み取り後にモータによって所定の部品を動作させるようにしてもよい。或いは、移動体３５の移動を利用して他の部品を動作させるようにしてもよい。
【００３４】
さらに、上記実施形態では、識別情報としてバーコードを使用したが、バーコード以外の識別情報、例えばＱＲコード（登録商標）その他にも適用できる。要は、移動体３５の移動によって読み取れる識別情報一般に適用できる。
【００３５】
また、上記実施形態では、読取り対象の例としてフィギア２を挙げたが、自動車玩具その他の玩具体や日用品の類い、カードなどであってもよい。
【００３６】
また、上記実施形態では、蓋１ｂの開閉動作と移動体３５の移動動作を連動させるようにしたが、引出しや扉などの開閉部材の開閉動作と移動体３５の移動動作を連動させるようにしてもよい。
【符号の説明】
【００３７】
１     動作玩具
１ａ   本体
１ｂ   蓋
２     フィギア
２ａ   台座
２ｂ   バーコード
２３   移動体
２３ｃ 軸
２５   裏板
２６   凸部
２６ａ 摺接面
２７   当接部材
２９   コイルスプリング
３５   移動体
４０   連結棒
５１   発光体
５２   音出力部
【図１】
2018019994.tif 000003
【図２】
2018019994.tif 000004
【図３】
2018019994.tif 000005
【図４】
2018019994.tif 000006
【図５】
2018019994.tif 000007
【図６】
2018019994.tif 000008
【図７】
2018019994.tif 000009
【図８】
2018019994.tif 000010
【図９】
2018019994.tif 000011
【図１０】
2018019994.tif 000012